(57)【要約】【課題】本発明の目的は、低コスト化及び小型化を図ることができる回生抵抗保護装置を提供することである。【解決手段】本発明は、回生抵抗保護装置に係るものであって、回生抵抗器１４への通電を制御する半導体スイッチング素子８及び機械式スイッチング素子９と、抵抗器１１，１２から構成され、半導体スイッチング素子８及び機械式スイッチング素子９に対して並列接続された分圧回路１０と、分圧回路１０から、所定のレベルの電圧が所定の時間を超えて継続して出力された場合に異常信号を出力する異常信号出力手段５と、前記異常信号に基づいて、機械式スイッチング素子９にオフ信号を出力するスイッチング素子制御手段７とを備えている。【選択図】図１
2009136103.tif 000002
【特許請求の範囲】
【請求項１】
インバータ回路から出力される回生電力を吸収する回生抵抗器を保護するための回生抵抗保護装置であって、
前記抵抗器に直列接続されて、前記回生抵抗器への通電を制御する半導体スイッチング素子及び機械式スイッチング素子と、
抵抗器から構成され、半導体スイッチング素子及び機械式スイッチング素子に対して並列接続された分圧回路と、
前記分圧回路から、所定のレベルの電圧が所定の時間を超えて継続して出力された場合に異常信号を出力する異常信号出力手段と、
前記異常信号に基づいて、前記機械式スイッチング素子にオフ信号を出力するスイッチング素子制御手段と
を備え、
前記所定のレベルは、前記半導体スイッチング素子及び前記機械式スイッチング素子が共にオン状態のときに前記分圧回路から出力される電圧レベルであり、
前記スイッチング素子制御手段は、前記異常信号出力手段が前記異常信号を出力するまでは、前記機械式スイッチング素子にオン信号を入力し、前記半導体スイッチング素子にオン信号又はオフ信号を入力することによって前記回生抵抗器への通電を制御するように構成されている、回生抵抗保護装置。
【請求項２】
前記インバータ回路に電力を供給する直流母線間の電圧を監視して、該電圧が所定の閾値を超えたときに、回生抵抗器への通電を指示するための回生開始信号を出力する回生指示手段と、
前記回生開始信号が入力されるとＰＷＭ信号を発生するＰＷＭ信号発生器とをさらに備え、
前記スイッチング素子制御手段は、前記ＰＷＭ信号に基づいて前記半導体スイッチング素子にパルス信号を出力する機能をさらに備えることを特徴とする、請求項１に記載の回生抵抗保護装置。
【発明の詳細な説明】
【技術分野】
【０００１】
本発明は、モータ等を駆動するインバータ回路から回生電力を吸収する回生抵抗器の保護装置に関し、さらに詳細には、スイッチング素子によって前記回生抵抗への通電が制御される回路構成において、前記回生抵抗器を保護するための回生抵抗保護装置に関する。
【背景技術】
【０００２】
モータ駆動装置等のインバータ回路には電力回生用の回生抵抗器が設けられていることがある。この回生抵抗器が、何らかの理由で常時通電状態になってしまうと、回生抵抗器が高温になり焼損等の故障が生じるおそれがある。そこで、回生抵抗器を備える回路には、通常、回生抵抗器を保護するための回生抵抗保護装置が設けられている（例えば、特許文献１）。
【０００３】
特許文献１では、回生抵抗器への通電は半導体スイッチング素子を介して制御されていて、回生抵抗器に流れる電流は電流検出器によって検出されている。前記半導体スイッチング素子にオン信号が入力されていないにもかかわらず、前記電流検出器が電流を検出した場合には、半導体スイッチング素子の故障が想定される。半導体スイッチング素子が故障すると回生抵抗器が常時通電状態になってしまう可能性がある。そこで、上記のような場合には、前記回生抵抗器と直流母線間との間に設置されたヒューズを溶断することによって、回生抵抗器への通電を遮断して回生抵抗器を保護している。
【特許文献１】特開平５−３３６７５８号公報
【発明の開示】
【発明が解決しようとする課題】
【０００４】
しかしながら、特許文献１においては、回生抵抗器への通電を遮断するためにヒューズを溶断しているため、回生抵抗器への通電を復帰させるためには、ヒューズを交換する必要がある。加えて、回生抵抗電流検出用に電流検出器を使用しているため、装置が高価になること、回路の小型化が実現できないこと等の問題がある。
そこで、本発明の目的は、低コスト化及び小型化を図ることができる回生抵抗保護装置を提供することである。
【課題を解決するための手段】
【０００５】
本発明は、インバータ回路から出力される回生電力を吸収する回生抵抗器を保護するための回生抵抗保護装置に係るものである。本発明は、上記目的を達成するために、前記抵抗器に直列接続されて、前記回生抵抗器への通電を制御する半導体スイッチング素子及び機械式スイッチング素子と、抵抗器から構成され、半導体スイッチング素子及び機械式スイッチング素子に対して並列接続された分圧回路と、前記分圧回路から、所定のレベルの電圧が所定の時間を超えて継続して出力された場合に異常信号を出力する異常信号出力手段と、前記異常信号に基づいて、前記機械式スイッチング素子にオフ信号を出力するスイッチング素子制御手段とを備え、前記所定のレベルは、前記半導体スイッチング素子及び前記機械式スイッチング素子が共にオン状態のときに前記分圧回路から出力される電圧レベルであり、前記スイッチング素子制御手段は、前記異常信号出力手段が前記異常信号を出力するまでは、前記機械式スイッチング素子にオン信号を入力し、前記半導体スイッチング素子にオン信号又はオフ信号を入力することによって前記回生抵抗器への通電を制御するように構成されている。
【０００６】
前記インバータ回路に電力を供給する直流母線間の電圧を監視して、該電圧が所定の閾値を超えたときに、回生抵抗器への通電を指示するための回生開始信号を出力する回生指示手段と、前記回生開始信号が入力されるとＰＷＭ信号を発生するＰＷＭ信号発生器とをさらに備え、前記スイッチング素子制御手段は、前記ＰＷＭ信号に基づいて前記半導体スイッチング素子にパルス信号を出力する機能をさらに備えても良い。
【発明の効果】
【０００７】
本発明に係る回生抵抗保護装置は、回生抵抗器への通電を制御する半導体スイッチング素子及び機械式スイッチング素子に対して並列に接続され抵抗器から構成された分圧回路を備え、所定のレベルの電圧が所定の時間を超えて継続して前記分圧回路に印加された場合には、機械式スイッチング素子にオフ信号を入力して、前記回生抵抗器への通電を遮断するようにしている。
【０００８】
このように、本発明によれば、ヒューズを溶断するのではなく常時オン状態に設定しておいた機械式スイッチング素子をオフ状態に制御することによって前記回生抵抗器への通電を遮断しているため、ヒューズ交換は不要となっている。加えて、抵抗器から構成される分圧回路を異常検出手段として使用しているので、回生抵抗保護装置の低コスト化及び小型化を図ることができる。
【発明を実施するための最良の形態】
【０００９】
以下、本発明の実施の形態を添付の図により説明する。図１に本実施形態に係る回生抵抗保護装置を備えたモータ駆動装置の回路図を模式的に示す。
このモータ駆動装置１では、ブラシレスＤＣモータ１６を駆動するインバータ回路１５と電源２とが直流母線Ｌ１，Ｌ２によって結ばれている。直流母線Ｌ１，Ｌ２間には、回生抵抗器１４と半導体スイッチング素子８と機械式スイッチング素子９とを備える直列回路と、回生指示部３とが接続されている。なお、回生抵抗器１４には、フライホイールダイオード１７が並列に設けられている。
【００１０】
本実施形態において、半導体スイッチング素子８はＭＯＳＦＥＴであって、機械式スイッチング素子９は機械式リレーである。半導体スイッチング素子８及び機械式スイッチング素子９には、それぞれ独立したゲート回路６及びゲート回路７が接続されている。ゲート回路６及びゲート回路７はスイッチング素子制御手段を構成している。
回生指示部３は、ＰＷＭ信号発生器４を介してゲート回路６に接続されている。
【００１１】
半導体スイッチング素子８と機械式スイッチング素子９には、分圧回路１０が並列に設けられている。分圧回路１０は、直列接続した第１の抵抗器１１及び第２の抵抗器１２によって構成されていて、抵抗器１１と抵抗器１２の間のノード１３からの出力は、異常信号出力部５を介して、ゲート回路７の入力に接続されている。この分圧回路１０は、後述するように、半導体スイッチング素子８と機械式スイッチング素子９の電流通電状態、すなわち、回生抵抗器１４の電流通電状態を推測検出するために設けられている。
なお、電源２は、図示しない交流電源を図示しない整流器で整流した直流電源を示すものである。
【００１２】
以下にモータ駆動装置１の動作について説明する。
電源が投入されると、ゲート回路７から出力されたオン信号によって機械式スイッチング素子９がオン状態に設定される。機械式スイッチング素子９は、オフ信号が入力されるまで常時オン状態に保持されている。電力回生処理が行なわれていない通常運転時においては、半導体スイッチング素子８はオフ状態に設定されていて、回生抵抗器１４への通電を遮断している。
【００１３】
回生指示部３は、直流母線Ｌ１，Ｌ２間の電圧を監視して、この電圧値が回生開始を規定する第１の所定の閾値を超えた場合には、回生開始信号をＰＷＭ信号発生器４に出力するように構成されている。
【００１４】
ＰＷＭ信号発生器４は、回生開始信号が入力されると、デューティ比を固定（例えば５０％）したＰＷＭ信号をゲート回路６に出力する。ゲート回路６はＰＷＭ信号に基づくパルス信号を半導体スイッチング素子８のゲートに入力し、半導体スイッチング素子８を間欠的にオン状態にする。これにより、電源２から供給された電流が回生抵抗器１４に流れて電力が消費される。
【００１５】
本実施形態では、このように半導体スイッチング素子８を間欠的にオン状態にすることによって、回生抵抗器１４を間欠的に通電状態としているため、ゲート回路６から連続的なオン信号を出力して半導体スイッチング素子８をオン状態に固定した場合よりも、回生抵抗器１４に加わる負担が少なくなる。
【００１６】
回生指示部３は、電力回生によって直流母線Ｌ１，Ｌ２間の電圧値が第２の所定の閾値以下になったことを検知すると、回生停止信号をＰＷＭ信号発生器４に出力する。なお、第２の所定の閾値は、前記第１の所定の閾値と同じ値を設定しても良いし異なる値を設定しても良い。ＰＷＭ信号発生器４は回生停止信号が入力されると、ＰＷＭ信号の出力を停止する。ゲート回路６はＰＷＭ信号の入力が停止すると、すなわちオフレベルの信号が入力されると、半導体スイッチング素子８にオフ信号を出力して半導体スイッチング素子８をオフ状態にする。したがって、回生抵抗器１４への通電が遮断されて電力回生処理は停止し、モータ駆動装置１は通常運転状態に戻る。
【００１７】
分圧回路１０はノード１３から分圧電圧を出力している。この分圧電圧は、半導体スイッチング素子８がオフ状態の場合には電源電圧２を抵抗器１１及び抵抗器１２で分圧した値（以下、オフ状態電圧レベルという）となり、半導体スイッチング素子８がオン状態の場合には、共にオン状態である半導体スイッチング素子８及び機械式スイッチング素子９の直列回路に加わる電圧を分圧した値（以下、オン状態電圧レベルという）となる。
【００１８】
分圧回路１０は前述のように、半導体スイッチング素子８及び機械式スイッチング素子９に対して並列に設けられている。したがって、スイッチング素子８，９にどのような制御信号が入力されたかではなく、実際にスイッチング素子８，９がどのような状態にあるかを検知することができる。すなわち、スイッチング素子８，９からなる直列回路を介して回生抵抗器１４が通電状態となっているのか、スイッチング素子８，９のいずれかの素子がオフ状態となっていて回生抵抗器１４への通電が遮断されているのかを判定することが可能である。なお、機械式スイッチング素子９は、前述のように、常時オン状態に設定しているため、ここで検知されるスイッチング素子のオフ状態は、半導体スイッチング素子８がオフ状態であることを示している。
【００１９】
異常信号出力部５はノード１３から出力された電圧レベルを監視して、該電圧レベルが前記オフ状態電圧レベルから前記オン状態電圧レベルへ移行すると、適宜な計測手段を用いてこのオン状態電圧レベルの継続時間を計測する。
【００２０】
異常信号出力部５は、この継続時間が所定の時間を超えたかを判定する。ここで、この所定の時間は、ゲート回路６から半導体スイッチング素子８に入力されるパルス信号のオン信号継続時間と実質的に一致するように設定しても良い。このパルス信号のデューティ比は固定されているため、オン信号の継続時間も一定の時間に保持されている。したがって、分圧回路１０から出力されたオン状態電圧レベルの継続時間が前記オン信号の継続時間よりも長く継続している場合には、半導体スイッチング素子８がショート破損等の故障を生じたものと推定できる。半導体スイッチング素子８が制御不能となりオン状態が過度に持続されると、回生抵抗器１４の通電状態も過度に持続されることになり、該回生抵抗器１４に破損、焼損等の故障が生じる可能性が高くなる。
【００２１】
そこで、オン状態電圧レベルの継続時間が所定の時間を経過した場合には、機械式スイッチング素子９をオフ状態にして回生抵抗器１４への通電を遮断するために、異常信号出力部５がゲート回路７へ異常信号を出力する。異常信号が入力されたゲート回路７は、機械式スイッチング素子９にオフ信号を入力して機械式スイッチング素子９をオフ状態に制御する。
【００２２】
なお、通常運転時及び電力回生処理時における回生抵抗器１４への通電は半導体スイッチング素子８を介して制御されているため、機械式スイッチング素子９がショート破損しても回生抵抗器１４に回生抵抗電流が連続して流れることはない。また、スイッチング素子８，９がオフ状態で破損した場合は、回生抵抗器１４への通電が遮断されるため、回生抵抗器１４が焼損等の故障を生じることはない。
【００２３】
本実施形態では、半導体スイッチング素子８の異常を検知して回生抵抗器１４への通電を遮断することにより、回生抵抗器１４の破損や焼損等の故障を未然に防止することができる。ここで、通電遮断は機械式スイッチング素子９をオフ状態に制御することによって実行されるため、従来技術のようなヒューズ交換は不要となっている。加えて、本実施形態では、抵抗器から構成された分圧回路１０を異常検出のための手段として使用している。この分圧回路１０は電源２の電圧が高い場合でも抵抗値が大きく電力の小さい抵抗器を使用して安価かつ小型に構成することができるため、効果的に回生抵抗保護装置の低コスト化及び小型化をもたらすことが可能である。
【００２４】
以上、本発明の一実施形態について述べたが、本発明は既述の実施形態に限定されるものではなく、本発明の技術的思想に基づいて各種の変形及び変更が可能である。例えば、既述の実施形態では、ブラシレスＤＣモータを駆動するモータ駆動装置において本発明を適用しているが、本発明が適用される装置はこれに限定されない。また、既述の実施形態では、オン状態電圧レベルの継続時間と比較される所定の時間をゲート回路６から出力されるオン信号継続時間に設定しているが、これに限定されない。例えば、前記オン信号継続時間よりも長い時間であって、回生抵抗器１４が焼損等の故障を起こさないと想定される電流通電可能時間を前記所定の時間として設定しても良い。また、異常信号出力部５から出力される異常信号をゲート回路７だけではなくゲート回路６にも入力し、スイッチング素子８，９に対して共にオフ信号を入力するように構成しても良い。
【００２５】
既述の実施形態では、スイッチング素子８としてＭＯＳＦＥＴを用いているが、他のＦＥＴ、ＩＧＢＴ、トランジスタ等の半導体スイッチング素子を使用しても良い。
【図面の簡単な説明】
【００２６】
【図１】一実施形態に係る回生抵抗保護装置を適用したモータ駆動装置を示した回路図である。
【符号の説明】
【００２７】
１  モータ駆動装置
２  電源
３  回生指示部
４  ＰＷＭ信号発生器
５  異常信号出力部
６  第１のゲート回路
７  第２のゲート回路
８  半導体スイッチング素子
９  機械式スイッチング素子
１０  分圧回路
１１  抵抗器
１２  抵抗器
１４  回生抵抗器
１５  インバータ回路
１６  ブラシレスＤＣモータ
【図１】
2009136103.tif 000003